(57)【特許請求の範囲】
【請求項１】
第１の部屋に設置された着順操作卓、モニタ及び音声入力器と、
前記第１の部屋と離れた場所にある第２の部屋に設置された着順制御装置及び音声出力器と、
前記第１の部屋及び前記第２の部屋の双方と離れた場所に設置された着順表示盤と、を具備し、
前記着順操作卓と前記着順制御装置とは、データ伝送路によって接続され、
前記モニタと前記着順制御装置とは、前記データ伝送路と独立した画像伝送路によって接続され、
前記音声入力器と前記音声出力器とは、前記データ伝送路と独立した音声伝送路によって接続され、
前記着順制御装置は、
前記音声入力器に入力され、前記音声伝送路を介して伝送され、かつ、前記音声出力器から出力された第１の音声であって、公営競技の競技対象の着順を示す前記第１の音声に基づいて、前記着順を表す画像である着順画像を形成し、形成した前記着順画像を前記画像伝送路を介して前記モニタへ送信することにより前記着順画像を前記モニタに表示させ、
前記着順画像の前記モニタへの送信後、前記音声入力器に入力され、前記音声伝送路を介して伝送され、かつ、前記音声出力器から出力された第２の音声であって、前記着順の表示を指示する前記第２の音声に従って、前記着順表示盤に前記着順を表示させる、
着順表示制御システム。
【請求項２】
前記着順制御装置は、前記着順制御装置が前記第１の音声に基づいて前記着順画像を形成中の状態にあることを前記第１の部屋及び前記第２の部屋に報知する、
請求項１に記載の着順表示制御システム。
【請求項３】
前記着順制御装置は、前記第１の音声の声紋が予め登録された声紋に一致するときに、前記第１の音声に基づいて前記着順画像を形成する、
請求項１または２に記載の着順表示制御システム。
【請求項４】
着順操作卓、モニタ及び音声入力器が設置された第１の部屋と離れた場所にある第２の部屋に設置された着順制御装置であって、
前記音声入力器に入力され、前記着順操作卓と前記着順制御装置とを接続するデータ伝送路と独立した音声伝送路を介して伝送され、かつ、音声出力器から出力された第１の音声であって、公営競技の競技対象の着順を示す前記第１の音声に従って生成された第１のデータに基づいて、前記着順を表す画像である着順画像を形成する画像形成部と、
形成された前記着順画像を、前記データ伝送路と独立した画像伝送路を介して前記モニタへ送信する画像通信部と、
前記画像通信部による前記着順画像の前記モニタへの送信後、前記音声入力器に入力され、前記音声伝送路を介して伝送され、かつ、前記音声出力器から出力された第２の音声であって、前記着順の表示を指示する前記第２の音声に従って生成された第２のデータに基づいて、前記第１の部屋及び前記第２の部屋の双方と離れた場所に設置された着順表示盤に前記着順を表示させる表示制御部と、
を具備する着順制御装置。
【発明の詳細な説明】
【技術分野】
【０００１】
本発明は、公営競技における着順表示制御システム及び着順制御装置に関する。
【背景技術】
【０００２】
競馬、競輪、競艇及びオートレースの公営競技では、競走対象の着順は以下のようにして観客に知らされる。すなわち、審判員が競走対象の着順を審判室に設置された着順操作卓にキーボードを使用して入力し、競走対象の着順を示すデータ（以下では「着順データ」と呼ぶことがある）が着順操作卓から計算機室に設置された着順制御装置へと送信される。そして、着順データを受信した着順制御装置は、競走対象の着順を表す画像（以下では「着順画像」と呼ぶことがある）を着順データに基づいて形成し、形成した着順画像を、観客から視認可能な着順表示盤に表示させる。このようにして、競走対象の着順を観客に知らせる。以下では、公営競技の競技対象の着順を、単に「着順」と呼ぶことがある。
【０００３】
ここで、着順の入力は審判員にしか許されていない。このため、着順操作卓の故障や、着順操作卓から着順制御装置への伝送路の切断等、着順操作卓に関連する異常が発生した場合には、審判員が、着順を着順制御装置へ直接入力することにより、着順画像を着順表示盤に表示させることが可能である。
【先行技術文献】
【特許文献】
【０００４】
【特許文献１】特開２００６−１１５８７９号公報
【特許文献２】特開２０１３−１９２８７１号公報
【特許文献３】特開２０１３−２４３４３５号公報
【特許文献４】特開２０１４−０１７６３５号公報
【発明の概要】
【発明が解決しようとする課題】
【０００５】
通常、審判員は、審判室に常駐しており、計算機室には常駐していない。よって、審判員は、着順操作卓に関連する異常の発生により着順制御装置へ着順を直接入力するには、審判室から計算機室まで移動しなければならない。
【０００６】
しかし、通常、着順操作卓が設置された審判室と、着順制御装置が設置された計算機室とは離れた場所にある。例えば、審判室は、競走対象を目視し易い高所（例えば、スタンド最上階）にある一方で、計算機室は、審判室より低所にある場合が多い。このため、審判員が審判室から計算機室まで移動するには、通常、５分以上かかることが多い。
【０００７】
よって、着順操作卓に関連する異常が発生した場合には、レース終了から観客への着順の報知までに遅延が生じてしまう。観客への着順の報知の遅延は、顧客満足度の低下に繋がる。
【０００８】
開示の技術は、上記に鑑みてなされたものであって、着順操作卓に関連する異常が発生した場合でも、観客への着順の報知の遅延を抑制することを目的とする。
【課題を解決するための手段】
【０００９】
開示の態様では、着順表示制御システムは、第１の部屋に設置された着順操作卓、モニタ及び音声入力器と、前記第１の部屋と離れた場所にある第２の部屋に設置された着順制御装置及び音声出力器と、前記第１の部屋及び前記第２の部屋の双方と離れた場所に設置された着順表示盤とを有する。前記着順操作卓と前記着順制御装置とは、データ伝送路によって接続される。前記モニタと前記着順制御装置とは、前記データ伝送路と独立した画像伝送路によって接続される。前記音声入力器と前記音声出力器とは、前記データ伝送路と独立した音声伝送路によって接続される。前記着順制御装置は、前記音声入力器に入力され、前記音声伝送路を介して伝送され、かつ、前記音声出力器から出力された第１の音声であって、公営競技の競技対象の着順を示す前記第１の音声に基づいて、前記着順を表す画像である着順画像を形成し、形成した前記着順画像を前記画像伝送路を介して前記モニタへ送信することにより前記着順画像を前記モニタに表示させる。また、前記着順制御装置は、前記着順画像の前記モニタへの送信後、前記音声入力器に入力され、前記音声伝送路を介して伝送され、かつ、前記音声出力器から出力された第２の音声であって、前記着順の表示を指示する前記第２の音声に従って、前記着順表示盤に前記着順を表示させる。
【発明の効果】
【００１０】
開示の態様によれば、着順操作卓に関連する異常が発生した場合でも、観客への着順の報知の遅延を抑制することができる。
【図面の簡単な説明】
【００１１】
【図１】図１は、実施例１の着順表示制御システムの構成例を示す図である。
【図２】図２は、実施例１の着順制御装置の構成例を示す機能ブロック図である。
【図３】図３は、実施例１の着順表示制御システムの処理シーケンスの一例を示す図である。
【図４】図４は、実施例１のモニタ表示例を示す図である。
【図５】図５は、実施例１のモニタ表示例を示す図である。
【図６】図６は、実施例２の着順制御装置のハードウェア構成例を示す図である。
【発明を実施するための形態】
【００１２】
以下に、本願の開示する着順表示制御システム及び着順制御装置の実施例を図面に基づいて説明する。なお、この実施例により本願の開示する着順表示制御システム及び着順制御装置が限定されるものではない。また、実施例において同一の機能を有する構成、及び、同一の処理を行うステップには同一の符号を付し、重複する説明を省略する。
【００１３】
［実施例１］
＜着順表示制御システムの構成＞
図１は、実施例１の着順表示制御システムの構成例を示す図である。図１において、着順表示制御システム１は、着順操作卓１１と、着順制御装置２１と、着順表示盤３１とを有する。着順操作卓１１は審判室に設置される一方で、着順制御装置２１は、審判室と離れた場所にある計算機室に設置される。審判室は「第１の部屋」の一例であり、計算機室は、第１の部屋と離れた場所にある「第２の部屋」の一例である。着順操作卓１１と着順制御装置２１とは、データ伝送路Ｌ１によって接続されている。データ伝送路Ｌ１の一例として、例えば、ＬＡＮ（Local  Area  Network）が挙げられる。また、着順表示盤３１は、審判室及び計算機室の双方と離れた場所に設置される。
【００１４】
また、審判室には電話機１３及びモニタ１２が設置され、モニタ１２は、着順操作卓１１及び着順制御装置２１の双方に接続されている。電話機１３は、「音声入力器」の一例である。モニタ１２と着順制御装置２１とは、画像伝送路Ｌ３によって接続されている。画像伝送路Ｌ３の一例として、例えば、ＤＶＩ（Digital  Visual  Interface）仕様の伝送路が挙げられる。
【００１５】
一方で、計算機室には、電話機２３、モニタ２２及びマイク２４が設置され、モニタ２２及びマイク２４は着順制御装置２１に接続されている。電話機１３と電話機２３とは、音声伝送路Ｌ２によって接続されている。電話機２３は、「音声出力器」の一例である。音声伝送路Ｌ２の一例として、例えば、内線電話回線が挙げられる。
【００１６】
また、着順制御装置２１には、着順表示盤３１が接続されている。着順表示盤３１は、公営競技の観客が視認可能なものである。着順制御装置２１と着順表示盤３１とは、画像伝送路Ｌ４によって接続されている。画像伝送路Ｌ４の一例として、例えば、ＤＶＩ仕様の伝送路が挙げられる。
【００１７】
また、データ伝送路Ｌ１と、音声伝送路Ｌ２と、画像伝送路Ｌ３と、画像伝送路Ｌ４とは、互いに独立した伝送路である。
【００１８】
＜着順制御装置の構成＞
図２は、実施例１の着順制御装置の構成例を示す機能ブロック図である。図２において、着順制御装置２１は、着順データ通信部２１１と、着順画像形成部２１２と、音声認識部２１３と、着順画像通信部２１４と、表示制御部２１５と、異常検出部２１６とを有する。
【００１９】
着順データ通信部２１１と着順操作卓１１とは、データ伝送路Ｌ１によって接続されている。着順データ通信部２１１は、着順操作卓１１によって生成され、着順操作卓１１から送信された着順データをデータ伝送路Ｌ１を介して受信し、受信した着順データを着順画像形成部２１２に出力する。また、着順データ通信部２１１は、着順表示盤３１への着順の表示を指示するデータ（以下では「表示指示データ」と呼ぶことがある）を着順操作卓１１からデータ伝送路Ｌ１を介して受信し、受信した表示指示データを表示制御部２１５に出力する。表示指示データは、着順操作卓１１によって生成される。
【００２０】
異常検出部２１６と着順操作卓１１とは、データ伝送路Ｌ１によって接続されている。異常検出部２１６は、着順操作卓１１の故障や、データ伝送路Ｌ１の切断等、着順操作卓１１に関連する異常を検出する。例えば、異常検出部２１６は、一定の周期でデータ伝送路Ｌ１を介して着順操作卓１１へ所定のコマンドを送信し、送信時点から一定時間以内に、この所定のコマンドに対して着順操作卓１１からデータ伝送路Ｌ１を介して応答が無ければ、着順操作卓１１に関連する異常が発生したと判断して異常を検出する。異常検出部２１６は、異常を検出したときは、「異常検出信号」を音声認識部２１３、着順画像形成部２１２及び表示制御部２１５に出力する。また、異常検出部２１６は、異常を検出したときは、エラーメッセージをモニタ２２へ出力する。
【００２１】
一方で、異常検出部２１６は、所定のコマンドの送信時点から一定時間以内に着順操作卓１１から応答が有れば、着順操作卓１１に関連する異常は発生していないと判断して異常検出信号を出力しない。
【００２２】
音声認識部２１３は、異常検出部２１６から異常検出信号を入力されたとき（つまり、着順操作卓１１に関連する異常が発生したとき）に起動し、マイク２４から出力される音声を認識し、認識した音声に従ったデータを生成し、生成したデータを着順画像形成部２１２及び表示制御部２１５に出力する。
【００２３】
着順画像形成部２１２は、異常検出部２１６から異常検出信号を入力されないときは（つまり、着順操作卓１１に関連する異常が発生していないときは）、着順データ通信部２１１から入力される着順データに基づいて着順表示盤３１用の着順画像を形成し、着順表示盤３１用の着順画像を表示制御部２１５に出力する。
【００２４】
一方で、着順画像形成部２１２は、異常検出部２１６から異常検出信号を入力されたときは、音声認識部２１３から入力される着順データに基づいて、モニタ１２，２２用の着順画像と、着順表示盤３１用の着順画像とを形成する。そして、着順画像形成部２１２は、モニタ１２用の着順画像を着順画像通信部２１４へ出力し、モニタ２２用の着順画像をモニタ２２へ出力し、着順表示盤３１用の着順画像を表示制御部２１５に出力する。
【００２５】
着順画像通信部２１４とモニタ１２とは、画像伝送路Ｌ３によって接続されている。着順画像通信部２１４は、着順画像形成部２１２から入力されたモニタ１２用の着順画像を画像伝送路Ｌ３を介してモニタ１２へ送信する。
【００２６】
表示制御部２１５は、異常検出部２１６から異常検出信号を入力されないときは、着順表示盤３１への着順表示盤３１用の着順画像の出力を、着順データ通信部２１１から表示指示データを入力されるまで待つ。そして、表示制御部２１５は、着順データ通信部２１１から表示指示データを入力されたときに、着順表示盤３１用の着順画像を着順表示盤３１へ出力することにより、着順を着順表示盤３１に表示させる。つまり、着順操作卓１１に関連する異常が発生していないときは、着順操作卓１１によって生成され、着順操作卓１１から送信された着順データに従った着順が、審判室からの表示指示を待って、着順表示盤３１に表示される。
【００２７】
一方で、表示制御部２１５は、異常検出部２１６から異常検出信号を入力されたときは、着順表示盤３１への着順表示盤３１用の着順画像の出力を、音声認識部２１３から表示指示データを入力されるまで待つ。そして、表示制御部２１５は、音声認識部２１３から表示指示データを入力されたときに、着順表示盤３１用の着順画像を着順表示盤３１へ出力することにより、着順を着順表示盤３１に表示させる。つまり、着順操作卓１１に関連する異常が発生したときは、音声認識部２１３によって生成された着順データに従った着順が、審判室からの表示指示を待って、着順表示盤３１に表示される。
【００２８】
＜着順表示制御システムの処理＞
以下、着順操作卓１１に関連する異常が発生していないときの処理（つまり、正常時の処理）と、着順操作卓１１に関連する異常が発生したときの処理（つまり、異常時の処理）とに分けて説明する。
【００２９】
＜正常時の処理＞
審判室にいる審判員は、キーボードを使用して着順操作卓１１に着順を入力し、着順操作卓１１は、入力された着順に従った着順データを生成し、生成した着順データをデータ伝送路Ｌ１を介して、着順制御装置２１の着順データ通信部２１１へ送信する。また、着順操作卓１１は、生成した着順データに従って着順画像を形成し、形成した着順画像をモニタ１２に表示される。モニタ１２に表示される着順画像は、審判員の確認用の画像である。審判員は、モニタ１２に表示される着順画像を確認し、入力した着順に間違いがないことを確認後、キーボードを使用して着順の表示指示を着順操作卓１１に入力する。この着順の表示指示に従って着順操作卓１１は表示指示データを生成し、生成した表示指示データを着順制御装置２１の着順データ通信部２１１へ送信する。
【００３０】
これに対し、計算機室に設置された着順制御装置２１では、着順データ通信部２１１が、着順操作卓１１から受信した着順データを着順画像形成部２１２に出力し、着順画像形成部２１２が、着順データ通信部２１１から入力される着順データに基づいて着順表示盤３１用の着順画像を形成し、着順表示盤３１用の着順画像を表示制御部２１５に出力する。
【００３１】
表示制御部２１５は、着順画像形成部２１２から着順表示盤３１用の着順画像を入力された後、着順データ通信部２１１から表示指示データを入力されたときに、着順表示盤３１用の着順画像を着順表示盤３１へ出力することにより、着順を着順表示盤３１に表示させる。
【００３２】
＜異常時の処理＞
図３を用いて、異常時の処理について説明する。図３は、実施例１の着順表示制御システムの処理シーケンスの一例を示す図である。
【００３３】
着順操作卓１１は、着順操作卓１１に関連する異常を検出しないときは（ステップＳＴ１０１：Ｎｏ）、上記の「正常時の処理」を行う。例えば、着順操作卓１１は、一定の周期でデータ伝送路Ｌ１を介して着順制御装置２１の着順データ通信部２１１へ所定のコマンドを送信し、送信時点から一定時間以内に、この所定のコマンドに対して着順データ通信部２１１からデータ伝送路Ｌ１を介して応答が無ければ、データ伝送路Ｌ１の切断が発生したと判断して異常を検出する。また例えば、着順操作卓１１は、着順操作卓１１自身の故障の有無を判断し、故障発生時に異常を検出する。
【００３４】
また、着順制御装置２１は、着順操作卓１１に関連する異常を検出しないときは（ステップＳＴ１０７：Ｎｏ）、上記の「正常時の処理」を行う。
【００３５】
着順操作卓１１は、着順操作卓１１に関連する異常を検出したときは（ステップＳＴ１０１：Ｙｅｓ）、エラーメッセージをモニタ１２へ出力する（ステップＳＴ１０３）。モニタ１２は、エラーメッセージを表示する（ステップＳＴ１０５）。モニタ１２でのエラーメッセージの表示により、審判室にいる審判員は、着順操作卓１１に関連する異常が発生したことを認識できる。
【００３６】
一方で、着順制御装置２１では、異常検出部２１６は、着順操作卓１１に関連する異常を検出したときは（ステップＳＴ１０７：Ｙｅｓ）、エラーメッセージをモニタ２２へ出力する（ステップＳＴ１０９）。モニタ２２は、エラーメッセージを表示する（ステップＳＴ１１１）。モニタ２２でのエラーメッセージの表示により、計算機室にいる作業員は、着順操作卓１１に関連する異常が発生したことを認識できる。そこで、作業員は、電話機２３をマイク２４付近に設置する。また、着順操作卓１１に関連する異常が検出されたため、音声認識部２１３での音声認識が起動する（ステップＳＴ１１３）。
【００３７】
次いで、審判室にいる審判員は、審判室から計算機室へ移動せずに、審判室に設置された電話機１３に対して着順を発声することで、電話機１３に対して音声で着順を入力する（ステップＳＴ１１５）。着順を示す音声（以下では「着順音声」と呼ぶことがある）は、審判室に設置された電話機１３から音声伝送路Ｌ２を介して計算機室に設置された電話機２３へ伝送される（ステップＳＴ１１７）。
【００３８】
次いで、計算機室では、電話機２３は、電話機１３から伝送された着順音声をマイク２４に向かって出力する（ステップＳＴ１１９）。マイク２４によって捕らえられた着順音声は、着順制御装置２１の音声認識部２１３に入力される（ステップＳＴ１２１）。
【００３９】
次いで、音声認識部２１３は、着順音声を認識し、認識した着順音声に従って着順データを生成する（ステップＳＴ１２３）。
【００４０】
次いで、着順画像形成部２１２は、音声認識部２１３で生成された着順データに基づいて、モニタ１２，２２用の着順画像と、着順表示盤３１用の着順画像とを形成する（ステップＳＴ１２５）。着順画像形成部２１２は、モニタ１２用の着順画像を着順画像通信部２１４へ出力し、モニタ２２用の着順画像をモニタ２２へ出力し（ステップＳＴ１２７）、着順表示盤３１用の着順画像を表示制御部２１５に出力する。
【００４１】
次いで、モニタ２２用の着順画像を入力されたモニタ２２は、着順画像を表示する（ステップＳＴ１２９）。
【００４２】
また、着順画像通信部２１４により、モニタ１２用の着順画像が、審判室に設置されたモニタ１２へ伝送される（ステップＳＴ１３１）。
【００４３】
次いで、モニタ１２用の着順画像を受信したモニタ１２は、着順画像を表示する（ステップＳＴ１３３）。
【００４４】
次いで、審判室にいる審判員は、モニタ１２に表示される着順画像を確認し、ステップＳＴ１１５で電話機１３に対して声で入力した着順に間違いがないか確認する。審判員は、入力した着順に間違いがないことを確認後、電話機１３に対して着順の表示指示を発声することで、電話機１３に対して音声で着順の表示指示を入力する（ステップＳＴ１３５）。着順の表示を指示する音声（以下では「表示指示音声」と呼ぶことがある）は、審判室に設置された電話機１３から音声伝送路Ｌ２を介して計算機室に設置された電話機２３へ伝送される（ステップＳＴ１３７）。
【００４５】
次いで、計算機室では、電話機２３は、電話機１３から伝送された表示指示音声をマイク２４に向かって出力する（ステップＳＴ１３９）。マイク２４によって捕らえられた表示指示音声は、着順制御装置２１の音声認識部２１３に入力される（ステップＳＴ１４１）。
【００４６】
次いで、音声認識部２１３は、表示指示音声を認識し、認識した表示指示音声に従って表示指示データを生成する（ステップＳＴ１４３）。表示指示データは表示制御部２１５へ入力され、表示制御部２１５は、表示指示データの入力に従って、着順表示盤３１用の着順画像を着順表示盤３１へ出力する（ステップＳＴ１４５）。これにより、着順表示盤３１に、着順が表示される（ステップＳＴ１４７）。つまり、ステップＳＴ１４７では、審判室にいる審判員が発声した着順が、着順表示盤３１に表示される。
【００４７】
ここで、ステップＳＴ１２９で表示されるモニタ２２用の着信画像の一例と、ステップＳＴ１３３で表示されるモニタ１２用の着順画像の一例を図４，５に示す。図４，５は、実施例１のモニタ表示例を示す図である。図４には、計算機室に設置されたモニタ２２に表示される着順画像の一例を示し、図５には、審判室に設置されたモニタ１２に表示される着順画像の一例を示す。図４に示す着順画像は、着順画像形成部２１２が着順音声に基づいて着順画像を形成中の状態にあることを示すマーク３１を含む。同様に、図５に示す着順画像は、着順画像形成部２１２が着順音声に基づいて着順画像を形成中の状態にあることを示すマーク３２を含む。このようにして、着順制御装置２１は、着順制御装置２１が着順音声に基づいて着順画像を形成中の状態にあることを、審判室及び計算機室に報知する。
【００４８】
以上のように、実施例１では、着順表示制御システム１は、審判室に設置された着順操作卓１１、モニタ１２及び電話機１３と、計算機室に設置された着順制御装置２１及び電話機２３と、着順表示盤３１とを有する。着順操作卓１１と着順制御装置２１とは、データ伝送路Ｌ１によって接続される。モニタ１２と着順制御装置２１とは、データ伝送路Ｌ１と独立した画像伝送路Ｌ３によって接続される。電話機１３と電話機２３とは、データ伝送路Ｌ１と独立した音声伝送路Ｌ２によって接続される。着順制御装置２１は、電話機１３に入力され、音声伝送路Ｌ２を介して伝送され、かつ、電話機２３から出力された着順音声に基づいてモニタ１２用の着順画像を形成し、形成した着順画像を画像伝送路Ｌ３を介してモニタ１２へ送信することにより着順画像をモニタ１２に表示させる。また、着順制御装置２１は、着順画像のモニタ１２への送信後、電話機１３に入力され、音声伝送路Ｌ２を介して伝送され、かつ、電話機２３から出力された表示指示音声に従って、着順表示盤３１に着順を表示させる。
【００４９】
こうすることで、着順操作卓１１に関連する異常が発生した場合でも、審判員は、審判室から計算機室に移動することなしに、審判員の音声によって、着順表示盤３１に着順を表示させることができる。よって、着順操作卓１１に関連する異常が発生した場合でも、観客への着順の報知の遅延を抑制することができる。
【００５０】
また、着順表示制御システム１がデータ伝送路Ｌ１と独立した画像伝送路Ｌ３を有することで、着順操作卓１１に関連する異常が発生した場合でも、着順制御装置２１が、審判員の確認用の着順画像をモニタ１２に表示させることができる。これにより、審判室にいる審判員は、計算機室へ移動することなしに、電話機１３に対して声で入力した着順に間違いがないか確認後、着順の表示指示を行うことができる。よって、正確な着順を着順表示盤３１に表示させることができる。
【００５１】
また、実施例１では、着順制御装置２１は、着順制御装置２１が着順音声に基づいて着順画像を形成中の状態にあることを審判室及び計算機室に報知する。
【００５２】
こうすることで、審判室にいる審判員及び計算機室にいる作業員は、着順制御装置２１が着順音声に基づいて着順画像を形成中の状態にあることを知ることができ、着順音声を発している審判員以外の審判員及び作業員に対して、静粛にすることを促すことができる。これにより、着順音声とは無関係な音声に基づいて着順データが生成されてしまうことを防止できるため、誤った着順データが生成されてしまうことを防止できる。
【００５３】
［実施例２］
＜着順制御装置のハードウェア構成＞
着順制御装置２１は、例えば、次のようなハードウェア構成により実現することができる。図６は、実施例２の着順制御装置のハードウェア構成例を示す図である。図６に示すように、着順制御装置２１は、ハードウェアの構成要素として、プロセッサ２１ａと、メモリ２１ｂと、ＤＶＩモジュール２１ｃと、ＬＡＮインタフェースモジュール２１ｄと、マイク接続端子２１ｅと、モニタ接続端子２１ｆとを有する。プロセッサ２１ａの一例として、ＣＰＵ（Central  Processing  Unit），ＤＳＰ（Digital  Signal  Processor），ＦＰＧＡ（Field  Programmable  Gate  Array）等が挙げられる。また、着順制御装置２１は、プロセッサ２１ａと周辺回路とを含むＬＳＩ（Large  Scale  Integrated  circuit）を有しても良い。メモリ２１ｂの一例として、ＳＤＲＡＭ（Synchronous  Dynamic  Random  Access  Memory）等のＲＡＭ（Random  Access  Memory），ＲＯＭ（Read  Only  Memory）、フラッシュメモリ等が挙げられる。
【００５４】
着順画像通信部２１４は、ＤＶＩモジュール２１ｃによって実現される。着順データ通信部２１１は、ＬＡＮインタフェースモジュール２１ｄによって実現される。着順画像形成部２１２、音声認識部２１３、表示制御部２１５及び異常検出部２１６は、プロセッサ２１ａによって実現される。
【００５５】
また、着順制御装置２１での上記説明における各処理は、各処理に対応するプログラムをプロセッサ２１ａに実行させることによって実現してもよい。例えば、上記説明における各処理に対応するプログラムがメモリ２１ｂに記憶され、プログラムがプロセッサ２１ａによってメモリ２１ｂから読み出されて実行されても良い。
【００５６】
［実施例３］
実施例３では、メモリ２１ｂには、審判員の声紋を表す声紋データが予め登録されている。そして、音声認識部２１３は、マイク２４から入力される音声の声紋が、メモリ２１ｂに登録された声紋データに一致するときに、マイク２４から入力される音声に従ったデータを生成する。一方で、音声認識部２１３は、マイク２４から入力される音声の声紋が、メモリ２１ｂに登録された声紋データに一致しないときは、データを生成しない。
【００５７】
よって、着順画像形成部２１２は、着順音声の声紋がメモリ２１ｂに予め登録された声紋に一致するときに、着順音声に基づいて着順画像を形成する。一方で、着順画像形成部２１２は、着順音声の声紋がメモリ２１ｂに予め登録された声紋に一致しないときは、着順画像を形成しない。
【００５８】
こうすることで、審判員以外の人物が発した着順音声によって着順画像が形成されてしまうことを防止できる。よって、着順操作卓１１に関連する異常が発生した場合でも、着順表示盤３１への着順の表示についてのセキュリティを確保することができる。
【符号の説明】
【００５９】
１  着順表示制御システム
１１  着順操作卓
１２，２２  モニタ
１３，２３  電話機
２１  着順制御装置
２４  マイク
３１  着順表示盤
Ｌ１  データ伝送路
Ｌ２  音声伝送路
Ｌ３，Ｌ４  画像伝送路
２１１  着順データ通信部
２１２  着順画像形成部
２１３  音声認識部
２１４  着順画像通信部
２１５  表示制御部
２１６  異常検出部
【図１】
0006435255.tif 000002
【図２】
0006435255.tif 000003
【図３】
0006435255.tif 000004
【図４】
0006435255.tif 000005
【図５】
0006435255.tif 000006
【図６】
0006435255.tif 000007